(57)【要約】【課題】足指の通気性を向上させるために靴下の下に着用する足指サポータの後端が捲れ上がったり、丸まったりしないようにする。【解決手段】足指サポータ１は、伸縮性のある繊維で形成されていて、環状本体１０と、足指挿入部１１〜１５を有している。足指挿入部１１〜１５の先端には、開口部１１ａ〜１１ｄが形成されていて、着用時に指先が露出するので通気性がよくなる。環状本体１０の外周面に、シリコーンゴムからなる摩擦部材Ａを、島状（スポット状）に多数、熱溶着して取り付ける。これにより、足指サポータ１と靴下Ｓとが擦れなくなり、足指サポータ１の後端が捲れ上がったり、丸まったりしないので、足指サポータ１を長時間（長期）にわたって着用できる。【選択図】図１
0003131614.tif 000002
【実用新案登録請求の範囲】
【請求項１】
足先に取り付けてその上に靴下を履いて使用する布状の足指サポータにおいて、
前記足先が挿入される環状本体と、
前記環状本体の先端側に設けられて、１本又は２本以上の足指が挿入される複数の足指挿入部と、
前記環状本体の外周面に取り付けられて、前記環状本体と前記靴下との間に発生する滑りを低減する摩擦部材と、を備えた、
ことを特徴とする足指サポータ。
【請求項２】
前記足指をそれぞれ１本ずつ挿入する５個の足指挿入部を有する、
ことを特徴とする請求項１に記載の足指サポータ。
【請求項３】
前記足指挿入部は、前記足指の先端が露出する開口部を有する筒状に形成されている、
ことを特徴とする請求項１又は２に記載の足指サポータ。
【請求項４】
前記摩擦部材が、前記環状本体の外周面における足の甲側に取り付けられている、
ことを特徴とする請求項１ないし３のいずれか１項に記載の足指サポータ。
【請求項５】
前記摩擦部材が、前記環状本体の外周面における足の裏側に取り付けられている、
ことを特徴とする請求項１ないし３のいずれか１項に記載の足指サポータ。
【請求項６】
前記摩擦部材が、前記環状本体の外周面における足の側部側に取り付けられている、
ことを特徴とする請求項１ないし３のいずれか１項に記載の足指サポータ。
【請求項７】
前記摩擦部材が、前記環状本体の外周面における、相互に隣接する２つの前記足指挿入部の分岐点の近傍に取り付けられている、
ことを特徴とする請求項１ないし３のいずれか１項に記載の足指サポータ。
【請求項８】
前記摩擦部材が、島状に多数取り付けられている、
ことを特徴とする請求項１ないし７のいずれか１項に記載の足指サポータ。
【請求項９】
前記環状本体は、前記足先が挿脱される後端側の開口部に、弾性によって足を締め付ける締付け部を有する、
ことを特徴とする請求項１ないし８のいずれか１項に記載の足指サポータ。
【請求項１０】
前記締付け部は、後端縁に、前側に折り返された折返し部を有する、
ことを特徴とする請求項９に記載の足指サポータ。
【請求項１１】
消臭作用及び滅菌作用を有する消臭・滅菌剤が含浸されている、
ことを特徴とする請求項１ないし１０のいずれか１項に記載の足指サポータ。
【請求項１２】
靴下の内側に履く布状の足指サポータにおいて、
足の先端側が挿入される袋状の環状本体と、
前記環状本体の外周面に取り付けられて、前記靴下との間に発生する滑りを低減する摩擦部材と、を備え、
消臭作用及び滅菌作用を有する消臭・滅菌剤が含浸されている、
ことを特徴とする足指サポータ。
【考案の詳細な説明】
【技術分野】
【０００１】
本考案は、足指間の通気性を良好にするために、靴下の内側に履く足指サポータに関する。
【背景技術】
【０００２】
足の指の間にできる水虫等を防止するために足先に着用する足指サポータが特許文献１に提案されている。
【０００３】
このものは、環状本体の先端に、足指に対応して５つに分岐された筒部が設けてある。さらに、これら筒部の先端は開口されている。環状本体に足先を入れ、５つの筒部のそれぞれに各足指を挿入する。筒部の先端が開口されているので、筒部に挿入された各足指は、爪先側が露出することになり、良好な通気性を確保することができる。
【特許文献１】特開平９−９９００４号公報
【考案の開示】
【考案が解決しようとする課題】
【０００４】
しかしながら、上述の特許文献１の発明においては、その効果を高めるべく足指サポータの着用時間を長くしようとすると、この足指サポータの上に、男性では靴下を、また、女性ではストッキングやパンストを重ね履きする時間が長くなる傾向にある。このような重ね履きをした場合、足指サポータと靴下等とが擦れて、足指サポータの環状本体における後端側の端縁が指先側に捲れあがったり、丸まったりして不要に変形し、着用自体に不快感を伴うおそれがある。これは、足指サポータを足の甲及び足の裏とに巻き付けるようにして着用するためであり、足の甲が後端側から先端側に向かって低くなるため、この足の甲に倣って環状本体の後端縁が靴下との摩擦で、足先側に移動しようとするためである。また、足の裏側についても同様な変形が発生する。そして、足指サポータに上述のような捲れ等の不要な変形が発生すると、それ以上の着用していることに苦痛を感じたりする。
【０００５】
そこで、本考案は、長時間にわたって靴下と重ね履きをした場合であっても、靴下との摩擦による捲れ等の不要な変形が発生することを防止して、長時間にわたる着用を可能とした足指サポータを提供することを目的とするものである。
【課題を解決するための手段】
【０００６】
請求項１に係る考案は、足先に取り付けてその上に靴下を履いて使用する布状の足指サポータに関する。この考案に係る足指サポータは、前記足先が挿入される環状本体と、前記環状本体の先端側に設けられて、１本又は２本以上の足指が挿入される複数の足指挿入部と、前記環状本体の外周面に取り付けられて、前記環状本体と前記靴下との間に発生する滑りを低減する摩擦部材と、を備えた、ことを特徴としている。
【０００７】
請求項２に係る考案は、請求項１に係る足指サポータにおいて、前記足指をそれぞれ１本ずつ挿入する５個の足指挿入部を有する、ことを特徴としている。
【０００８】
請求項３に係る考案は、請求項１又は２に係る足指サポータにおいて、前記足指挿入部は、前記足指の先端が露出する開口部を有する筒状に形成されている、ことを特徴としている。
【０００９】
請求項４に係る考案は、請求項１ないし３のいずれか１項に係る足指サポータにおいて、前記摩擦部材が、前記環状本体の外周面における足の甲側に取り付けられている、ことを特徴としている。
【００１０】
請求項５に係る考案は、請求項１ないし３のいずれか１項に係る足指サポータにおいて、前記摩擦部材が、前記環状本体の外周面における足の裏側に取り付けられている、ことを特徴としている。
【００１１】
請求項６に係る考案は、請求項１ないし３のいずれか１項に係る足指サポータにおいて、前記摩擦部材が、前記環状本体の外周面における足の側部側に取り付けられている、ことを特徴としている。
【００１２】
請求項７に係る考案は、請求項１ないし３のいずれか１項に係る足指サポータにおいて、前記摩擦部材が、前記環状本体の外周面における、相互に隣接する２つの前記足指挿入部の分岐点の近傍に取り付けられている、ことを特徴としている。
【００１３】
請求項８に係る考案は、請求項１ないし７のいずれか１項に係る足指サポータにおいて、前記摩擦部材が、島状に多数取り付けられている、ことを特徴としている。
【００１４】
請求項９に係る考案は、請求項１ないし８のいずれか１項に係る足指サポータにおいて、前記環状本体は、前記足先が挿脱される後端側の開口部に、弾性によって足を締め付ける締付け部を有する、ことを特徴としている。
【００１５】
請求項１０に係る考案は、請求項９に係る足指サポータにおいて、前記締付け部は、後端縁に、前側に折り返された折返し部を有する、ことを特徴としている。
【００１６】
請求項１１に係る考案は、請求項１ないし１０のいずれか１項に係る足指サポータにおいて、消臭作用及び滅菌作用を有する消臭・滅菌剤が含浸されている、ことを特徴としている。
【００１７】
請求項１２に係る考案は、靴下の内側に履く布状の足指サポータに関する。この考案に係る足指サポータは、足の先端側が挿入される袋状の環状本体と、前記環状本体の外周面に取り付けられて、前記靴下との間に発生する滑りを低減する摩擦部材と、を備え、消臭作用及び滅菌作用を有する消臭・滅菌剤が含浸されている、ことを特徴としている。
【考案の効果】
【００１８】
請求項１の考案によると、足指挿入部が複数あるので、足指の間の通気性を高めることができる。また、摩擦部材により、足指サポータと靴下との間の相対的な移動を低減させることができるので、足指サポータと靴下とが擦れることに起因して環状本体の後端側が不要に捲れたり丸まったりすることを防止することができる。このため、足指サポータの長時間にわたっての着用が可能となる。
【００１９】
請求項２の考案によると、足指挿入部が足指と同数あるので、通気性をより高めることができる。
【００２０】
請求項３の考案によると、足指挿入部の先端が開口されているので、より一層通気性を高めることができる。
【００２１】
請求項４の考案によると、摩擦部材が環状本体の足の甲側に取り付けられているので、甲側での足指サポータと靴下との相対的な移動を効果的に防止することができる。
【００２２】
請求項５の考案によると、摩擦部材が環状本体の足の裏側に取り付けられているので、裏側での足指サポータと靴下との相対的な移動を効果的に防止することができる。
【００２３】
請求項６の考案によると、摩擦部材が環状本体の足の側部側に取り付けられているので、側部側での足指サポータと靴下との相対的な移動を効果的に防止することができる。
【００２４】
請求項７の考案によると、足指挿入部の先端側の開口部に発生しがちな捲れ等の不要な変形を有効に防止することができる。
【００２５】
請求項８の考案によると、摩擦部材が島状に多数取り付けられているので、足指サポータと靴下との相対的な移動を効果的に防止することができる。
【００２６】
請求項９の考案によると、環状本体は、締付け部を有しているので、環状本体の後端側が捲れたり丸まったりしにくい。
【００２７】
請求項１０の考案によると、締付け部は、折返し部を有しているので、さらに、環状本体の後端側が捲れたり丸まったりしにくい。
【００２８】
請求項１１の考案によると、消臭・滅菌剤により、消臭及び滅菌を行うことができる。
【００２９】
請求項１２の考案によると、環状本体が袋状である場合であっても、摩擦部材により、足指サポータと靴下とが擦れることによる、環状本体の後端側の捲れや丸まりを防止することができ、また、消臭や滅菌を行うこともできる。
【考案を実施するための最良の形態】
【００３０】
以下、本考案の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００３１】
図１を参照して、本実施形態に係る足指サポータ１について説明する。同図は、足指サポータ１を足先Ｆ（足における足首よりも前側の部分をいう。以下同じ。）に着用し、さらに、その上から靴下Ｓを履いた状態を上側から見た図である。
足指サポータ１は、環状本体１０と、複数（本実施形態では５個）の足指挿入部１１，１２，１３，１４，１５と、摩擦部材Ａとを備えている。
【００３２】
環状本体１０は、環状に形成されていて、その先端側が、足先Ｆの親指Ｆ１、人差し指Ｆ２、中指Ｆ３、薬指Ｆ４、小指Ｆ５の付け根に位置し、ここから足首（不図示）に向かって適度な幅を有しており、後端側には開口部１６が形成されている。つまり、環状本体１０は、足先Ｆにおいて、足の甲から左側部を経由して足の裏に至り、さらに、右側部を経由して足の甲に戻るように、足先Ｆをぐるっと１周覆うように着用される。したがって、着用時に、環状本体１０における足の甲側に位置する部分は、足の甲に倣って、後端側が高く先端側が低くなっている。言い換えると、着用時には、足先に形状に倣って、後端側の方が先端側よりも太くなっている。このため、環状本体１０は、靴下Ｓとの間に滑りが生じることで、後端側が前側に向かって捲れ上がったり、丸まったりして、不要に変形しやすい。本考案では、後述するように、摩擦部材Ａによってこのような不要な変形を防止するようにしている。環状本体１０の後端側には、着用時に、弾性によって足先Ｆを締め付ける締付け部１７が形成されている。
【００３３】
足指挿入部１１，１２，１３，１４，１５は、上述の環状本体１０の先端に左右方向に並ぶように設けられている。足指挿入部１１，１２，１３，１４，１５は、それぞれ先端側に開口部１１ａ，１１ｂ，１１ｃ，１１ｄ，１１ｅを有する筒状に形成されていて、この順に、親指Ｆ１，人差し指Ｆ２，中指Ｆ３，薬指Ｆ４，小指Ｆ５が挿入される。各指は、挿入状態においては、開口部１１ａ〜１１ｅから指先を突き出して露出させている。このように足指挿入部１１〜１５は、各指ごとに分割されていて、かつ先端側に開口部１１ａ〜１５ｅを有しているので、例えば、水虫等ができやすい指の股に対する通気性を向上させることができる。
【００３４】
上述の環状本体１０及び足指挿入部１１〜１５は、布状部材によって全体として一体に形成されている。材料としては、例えば、木綿７５％程度で、残りの２５％が伸縮性のスポンジのものを使用することができるが、これに限定されるものではない。環状本体１０は、このような材料構成により、全体として適度な伸縮性を有していて、足先Ｆに着用した際には、締め付けすぎない程度に足先にフィットするようになっている。なお、着用時には、上述の締付け部１７は、他の部分よりも少し大きな力で、足先Ｆを締め付けるようになっている。
【００３５】
摩擦部材Ａは、環状部材１０の外周面に取り付けられている。本実施形態では、摩擦部材Ａは、シリコーンゴムを使用し、これを島状（スポット状）に多数、環状部材１０における足の甲に対応する部分に散りばめるようにしている。このように、スポット状に広範囲に散りばめることにより、摩擦部材Ａ全体の材料の総使用量（総使用面積）を抑制しつつ、滑り防止の大きな効果を挙げるようにしている。また、本実施形態では、環状本体１０に対する摩擦部材Ａの取付方法は、熱溶着を採用している。
【００３６】
さらに、本実施形態では、上述構成の足指サポータ１に対して、消臭機能及び滅菌機能（好気性菌の発生、増殖を抑止する機能）を付加させている。具体的には、消臭作用及び滅菌作用を発揮する消臭・滅菌剤を、足指サポータ１を構成する繊維中に以下のようにして含ませるようにしている。なお、消臭・滅菌剤としては、銀を使用している。
【００３７】
水を主とする溶媒に、銀、セラミックス等の無機物の溶質を分散させて、分散溶液を作り、この溶液中に、足指サポータ１を浸す。これにより、足指サポータ１の繊維の糸に溶質（銀、セラミックスの極超微粒子）を滲みこませた後、ローラに通して絞り、銀、セラミックスの極超微粒子を繊維に強力に付着させ、余分な溶液を絞り落とす。その後、乾燥機にかけて乾燥させる。これにより、足指サポータ１の繊維中に、銀配合セラミックスが浸透し、同時に繊維の表面に、銀配合セラミックス（極超微粒子）の薄膜を形成する。
【００３８】
この薄膜中の銀（Ａｇ）は、空気中の水酸基（ＯＨ）と反応して、超微量、イオン化して銀イオン（Ａｇ＋）となり、さらにこの銀イオンは、酸素（Ｏ２）と結びついてラジカル（ＡｇＯＯ）となる。そして、このラジカルが、薄膜に接触してくる臭気成分（例えば、アンモニア，硫化水素，メチルメルカブタン，トリメチルアミン等）を捕捉して、直ちに安定な化合物にして、臭気を消滅させる。足臭に対しては、その主な原因であるイソ吉草酸臭を直ちに捕らえ、安定な化合物にして、臭気を消滅させる。また、ラジカルは、好気性菌の細胞に付着してこれを死滅させる、という作用もなす。
【００３９】
上述のような消臭・滅菌作用を有する本実施形態の消臭・滅菌剤の特徴としては、臭気の根源を酸化分解する「分解型」であり、活性炭のような「吸着型」のものとは異なり、飽和状態にならないので、消臭・滅菌作用が長期にわたって持続する、という点が挙げられる。
【００４０】
以上説明したように、本実施形態によると、足指サポータ１は、足指挿入部１１〜１５が複数あるので、足指の間の通気性を高めることができる。また、摩擦部材Ａにより、足指サポータ１と靴下Ｓとの間の相対的な移動（ずれ）を低減させることができるので、足指サポータ１と靴下Ｓとが摩れることに起因して環状本体１０の後端側が不要に捲れたり丸まったりすることを防止することができる。このため、足指サポータ１の長時間（長期）にわたっての、違和感のない快適な着用が可能となる。さらに、消臭・滅菌作用も発揮させることができる。
＜実施形態２＞
【００４１】
図２に、本実施形態に係る足指サポータ１Ａを示す。図２は、本実施形態の足指サポータ１Ａを、図１と同様の状態で示す図である。
【００４２】
足指サポータ１Ａは、特に女性が着用するのに好適な構成となっている。すなわち、足指サポータ１Ａの環状本体２０は、ストッキングの足先の部分を切ったような袋状に形成されていて、５本の足指、つまり親指Ｆ１，人差し指Ｆ２，中指Ｆ３，薬指Ｆ４，小指Ｆ５が一体となって挿入されることになる。また、環状本体２０の材質についても、ストッキングと同様、ナイロン等で形成されている。本実施形態においても、上述の実施形態１と同様の摩擦部材Ａを、環状本体２０の外周面における足の甲に対応する部分に、島状（スポット状）に多数、散りばめるようにしている。これにより、環状本体２０の開口部２１を構成する後端縁が、靴下Ｓ（ストッキング）が擦れることで、捲れ上がったり丸まったりすることを有効に防止することができる。また、本実施形態の足指サポータ１Ａに対しても、上述の実施形態１と同様、消臭・滅菌加工を施している。これにより、女性が、消臭・滅菌効果のある足指サポータ１Ａを長時間にわたって快適に着用することができる。
＜実施形態３＞
【００４３】
図３（ａ），（ｂ）に、本実施形態に係る足指サポータ１Ｂを示す。なお、図３（ｂ）は、図３（ａ）中のＸ−Ｘ線矢視図である。
【００４４】
本実施形態に係る足指サポータ１Ｂは、上述の実施形態１に係る足指サポータ１とほぼ同様である。すなわち、環状本体３０の先端側に５つの足指挿入部３１，３２，３３，３４，４５を有している。大きく異なる点は、開口部３６に折返し部３７を設けた点である。
【００４５】
図３（ｂ）に示すように、開口部３６の周縁部を構成する後端縁を、全周にわたって内側に折り返して折返し部３７を構成している。この折返し部は、例えば、糸等で縫いつけることで構成することができる。開口部３６は、足指サポータ１Ｂに足を挿脱する際に、押し広げられるため、長期使用に伴って後端部の弾性が低下して、延びた状態で塑性変形しがちである。そして、塑性変形すると、上述の捲れや丸まり等の変形等を助長することになる。上述の折返し部３７を設けることで、このような塑性変形を抑制することができるので、長期にわたって足指サポータ１Ｂの快適な状態を保持することができる。なお、上述では、折返し部３７を構成するに際し、後端縁を内側に折り返したが、これに代えて、外側に折り返すようにしてもよい。ただし、内側に折り返した場合のほうが、外観上の見栄えがよい。また、本実施形態の折返し部３７を、上述の実施形態１，２の足指サポータ１，１Ａに適用することも可能であり、適用した場合には、同様の効果を奏することができる。
＜実施形態４＞
【００４６】
本実施形態は、図４に示すように、図３に示す足指サポータ３０において、摩擦部材Ａの取付位置を変えたものである。同図に示すように、足指挿入部３１〜３５における、相互に隣接する２つの足指挿入部の分岐点の近傍に摩擦部材Ａを取り付けた。これにより、足指挿入部３１〜３５の先端側の開口部に発生しがちな捲れ等の不要な変形を有効に防止することができる。
＜実施形態５＞
【００４７】
本実施形態は、図５に示すように、図３に示す足指サポータ３０において、摩擦部材Ａの取付位置を変えたものである。同図に示すように、足の側部に対応する部分に摩擦部材Ａを取り付けた。これにより、開口部３６における、側部に近い部分に発生しがちな捲れ等の不要な変形を有効に防止することができる。なお、同図に示す摩擦部材Ａは、花の形状を模して配置したものである。このように、摩擦部材Ａにデザイン性を付与することにより、美粧性を向上させることができる。
【００４８】
以上の説明では、摩擦部材Ａを、シリコーンゴムで構成した場合を例に説明したが、これに代えて、天然ゴムや他の合成ゴム、またスポンジ等を使用することも可能である。また、上述では、摩擦部材Ａを島状（スポット状）に取り付けた場合を例に説明したが、これに代えて、ブロック状、ライン状、網目状、面状等に取り付けるようにしてもよい。また、上述では摩擦部材Ａを熱溶着によって取り付けるようにしたが、これに代えて、接着等の他の手段で取り付けることも可能である。
【００４９】
また、本考案に係る摩擦部材Ａは、足指サポータの外周面における、足の裏側に対応する部分に取り付けるようにしてもよい。この場合には、足の裏には体重がかかるため、この摩擦部材Ａによって足指サポータと靴下との間に大きな摩擦力が作用する。このため、足指サポータと靴下とが擦れることに起因する足指サポータの捲れ等の不要な変形を効率的に防止することができる。
【００５０】
また、摩擦部材Ａは、足指挿入部３１〜３５に取り付けるようにしてもよい。この場合には、足指挿入部３１〜３５の先端の開口部の捲れ等の不要な変形を防止することができる。
【００５１】
また、上述の足指サポータを作製するために使用する布状としては、伸縮性を有するストレット素材や、編み物等を使用することもできる。
【図面の簡単な説明】
【００５２】
【図１】実施形態１の足指サポータを足先に着用し、さらに、その上から靴下を履いた状態を上側から見た図である。
【図２】実施形態２の足指サポータを足先に着用し、さらに、その上から靴下を履いた状態を上側から見た図である。
【図３】（ａ）は実施形態３の足指サポータを説明する図であり、（ｂ）は（ａ）中のＸ−Ｘ線矢視図である。
【図４】実施形態４の足指サポータを説明する図である。
【図５】実施形態５の足指サポータを説明する図である。
【符号の説明】
【００５３】
１，１Ａ，１Ｂ
足指サポータ
１０，２０，３０
環状本体
１１〜１５，３１〜３５
足指挿入部
１１ａ〜１１ｅ
開口部
１６，２１，３６
後端側の開口部
１７        締付け部
３７        折返し部
Ａ          摩擦部材
Ｆ          足先
Ｓ          靴下（ストッキング）
【図１】
0003131614.tif 000003
【図２】
0003131614.tif 000004
【図３】
0003131614.tif 000005
【図４】
0003131614.tif 000006
【図５】
0003131614.tif 000007